(57)【要約】      （修正有）【課題】洗濯物を干すに当たり、その形状から衣類特有の形状である前後見頃が接触し乾燥に要する時間を長引かせていた。その弊害として、生乾き臭の屋内への発生、衣類への臭い残り、長時間の生乾きに由来する雑菌の繁殖等があるので、これらを解決する。【解決手段】ハンガー水平部分のハンガー下部構成部１を二本にし、しかもその中心部付近を押し広げ部材２で円弧状に変形させる装置を付加することにより、衣類特有の形状である前後見頃に大きな空間が生まれ今までにない著しい乾燥速度の改善が期待できる。実験結果では同条件のもと従来ハンガーと比べて４〜５０パーセント時間が短縮して乾燥が終了する。そのことで部屋干しの時間が短縮され前に述べた懸念が大幅に軽減．部屋干しによる住環境の悪化によるストレスも緩和される。【選択図】図２
2016016308.tif 000002
【特許請求の範囲】
【請求項１】
ハンガーを吊した時、地面と水平方向になるハンガー構成部分を平行した二本の桟により構成されたハンガー
【請求項２】
その二本の桟の中心付近に設けられて、上記二本の桟の中央付近を押し広げて二つの円弧状の桟を構成させるための押し広げ部材を有するハンガー
【請求項２】
衣服の収納時は、隙間無く吊せる平面的な形状であるが、衣服を干す場合は簡単な操作でその一部を立体的に変化させ、乾燥に充分な空間を確保することを可能にしたハンガー
【発明の詳細な説明】
【技術分野】
【０００１】本発明は、洗濯済みの衣類等をハンガーに吊す際、見頃部分に空間を作り出すことにより、空気の流通を促進し、洗濯物の乾燥を大幅に短縮することのできるハンガーである
【背景技術】
【０００２】従来、洗濯物をハンガー等に吊して干すさいは、衣類の前と背中部分が密着するため、空気に触れる機会が少なく乾燥速度を遅らせていた【０００３】近年、外気に触れることを嫌い、部屋干しがふえている。そのため乾燥の遅延による生乾き臭や雑菌の繁殖も懸念される
【発明が解決しようとする課題】
【０００４】従来市場に出回っているハンガーは、タンスで使用するハンガーの形状と同一で、洗濯物の前身頃と後身頃の内側に空間がなく空気と触れる機会が少なく乾燥を遅らせていた。
【０００５】乾燥に要する時間が長引くことで、生活に様々な不都合が生じている。つまり部屋干しの際の住環境悪化のストレス、生乾きによる臭気の発生と衣服への臭い移り、長時間の生乾きによる雑菌繁殖への懸念等が考えられる。
【課題を解決しようとする手段】
【０００６】本発明は、上記課題の解決を図るため、従来のハンガーの竿に掛けるフックのついた反対側の地面と水平になる部分を従来の一本から二本にした構造であり、その中心付近に上記二本の構造物の中心付近を適度な幅に押し広げ固定することのできる突っ張り棒を設ける
【０００７】ハンガーの材質を復元性のある素材で製作することにより、洗濯物を干すときは二本の構造物に隙間を確保することで、洗濯物（例えばシャツ）の内側に充分な空気が流入し、乾燥は著しく短縮される。また乾燥終了後は押し広げていた機構を解除する事により、素材の復元力で二本の構造物は元の平行な形状に戻り衣服の整頓に邪魔にならない形状になる。
【発明の効果】
【０００８】先に述べたように本発明は、形状的には従来のハンガーとよく似ているが、その一部を大きく工夫することにより、一般的には平面形状のハンガーが簡単な操作でその一部が立体形状に変化する。そのことで洗濯物が立体形状で干されることになり、空気の対流が促進され乾燥速度は著しく改善される。
【０００９】元の平面形状に戻すことで。乾燥済みの衣服のタンス等への収納も従前と変わらず行うことができる。
【発明を実施するための形態】
【００１０】以下、本発明の実施の形態を図１〜図２に基づいて説明する。
【００１１】図１においては、ハンガー本体の下部構成部の二本（１）の桟が閉じた状態で従来の市販されているハンガーとほぼ同形状である
【００１２】図２はハンガー本体の下部構成部の二本の桟（１）が押し広げ部材（２）により押し広げられ押し広げ材（２）のの長さ分の空間が出現し固定突起（５）により固定される
【００１３】押し広げ材（２）と一体で構成されるツマミ（３）によりその操作は容易に行える
【符号の説明】
【００１４】１  ハンガー下部を構成する二本の桟
２  押し広げ部材
３  押し広げ部材を容易に回転させるためのツマミ
４  ハンガーを物干し竿に掛けるためのフック
５  押し広げ材が所定の位置で固定されるための突起
【図１】
2016016308.tif 000003
【図２】
2016016308.tif 000004
【手続補正書】
【提出日】平成26年8月26日(2014.8.26)
【手続補正１】
【補正対象書類名】明細書
【補正対象項目名】全文
【補正方法】変更
【補正の内容】
【発明の詳細な説明】
【技術分野】
【０００１】本発明は、洗濯済みの衣類等をハンガーに吊す際、見頃部分に空間を作り出すことにより、空気の流通を促進し、洗濯物の乾燥を大幅に短縮することのできるハンガーである
【背景技術】
【０００２】従来、洗濯物をハンガー等に吊して干すさいは、衣類の前と背中部分が密着するため、空気に触れる機会が少なく乾燥速度を遅らせていた【０００３】近年、外気に触れることを嫌い、部屋干しがふえている。そのため乾燥の遅延による生乾き臭や雑菌の繁殖も懸念される
【発明が解決しようとする課題】
【０００４】従来市場に出回っているハンガーは、タンスで使用するハンガーの形状と同一で、洗濯物の前身頃と後身頃の内側に空間がなく空気と触れる機会が少なく乾燥を遅らせていた。
【０００５】乾燥に要する時間が長引くことで、生活に様々な不都合が生じている。つまり部屋干しの際の住環境悪化のストレス、生乾きによる臭気の発生と衣服への臭い移り、長時間の生乾きによる雑菌繁殖への懸念等が考えられる。
【課題を解決しようとする手段】
【０００６】本発明は、上記課題の解決を図るため、従来のハンガーの竿に掛けるフックのついた反対側の地面と水平になる部分を従来の一本から二本にした構造であり、その中心付近に上記二本の構造物の中心付近を適度な幅に押し広げ固定することのできる突っ張り棒を設ける
【０００７】ハンガーの材質を復元性のある素材および形状で製作することにより、洗濯物を干すときは二本の構造物に隙間を確保することで、洗濯物（例えばシャツ）の内側に充分な空気が流入し、乾燥は著しく短縮される。また乾燥終了後は押し広げていた構造を解除する事により、素材の復元力で二本の構造物は元の平行な形状に戻り衣服の整頓に邪魔にならない形状になる。
【発明の効果】
【０００８】先に述べたように本発明は、形状的には従来のハンガーとよく似ているが、その一部を大きく工夫することにより、一般的には平面形状のハンガーが簡単な操作でその一部が立体形状に変化する。そのことで洗濯物が立体形状で干されることになり、空気の対流が促進され乾燥速度は著しく改善される。
【０００９】元の平面形状に戻すことで。乾燥済みの衣服のタンス等への収納も従前と変わらず行うことができる。
【図面の簡単な説明】
【００１０】
【図１】ハンガー下部を構成する二本の桟が閉じた状態で衣服の収納に適した平面形状をなすハンガーの全体図である
【図２】ハンガー下部を構成する二本の桟の中央部付近が押し広げられた結果桟は円弧状となり、衣服の乾燥促進に適した立体形状となるハンガーの全体図である
【発明を実施するための形態】
【００１１】以下、本発明の実施の形態を図１〜図２に基づいて説明する。
【００１２】図１においては、ハンガー本体の下部構成部の二本（１）の桟が閉じた状態で従来の市販されているハンガーとほぼ同形状である
【００１３】図２はハンガー本体の下部構成部の二本の桟（１）が押し広げ部材（２）により押し広げられ押し広げ材（２）の長さ分の空間が出現し固定突起（５）により空間を維持したまま固定される
【００１４】押し広げ材（２）と一体で構成されるツマミ（３）によりその操作は容易に行える
【００１５】（４）はハンガーを物干し竿にかけるためのフックである
【符号の説明】
【００１５】１  ハンガー下部を構成する二本の桟
２  押し広げ部材
３  押し広げ部材を容易に回転させるためのツマミ
４  ハンガーを物干し竿にかけるためのフック
５  押し広げ材が所定の位置で固定されるための突起